(57)【要約】  便座洗浄システムは、洋式トイレ１の便座１２を洗浄するシステムであって、便器１１の近傍に設置され、便座１２が収納可能な本体２と、便座１２を保持する保持部３と、保持部３を本体２の内部と外部との間で往復させる駆動手段５と、本体２内に設けられ、本体２内に収納された便座１２を洗浄する洗浄手段と、洗浄手段のノズルボード４，４による洗浄によって生じた汚水を排出する排水手段とを備えている。これにより、洋式トイレの便座に付着した汚物を物理的に排除し、さらに滅菌・殺菌を可能とする。【選択図】  図１
2008072677.tif 000002
【特許請求の範囲】
【請求項１】
洋式トイレの便座を洗浄するシステムであって、
前記洋式トイレの便器の近傍に設置され、前記便座が収納可能な本体と、
前記便座を保持する保持部と、
前記保持部を、該本体の内部と外部との間で往復させる駆動手段と、
前記本体内に設けられ、該本体内に収納された前記便座を洗浄する洗浄手段と、
前記洗浄手段による洗浄によって生じた汚水を排出する排水手段と
を備え、
前記保持部及び前記駆動手段は、前記便座を、前記本体外部において前記便器の上方に位置させ、該本体内部において前記洗浄手段の近傍に位置させる
ことを特徴とする便座洗浄システム。
【発明の詳細な説明】
【技術分野】
【０００１】
本発明は、洋式トイレの便座を洗浄する便座洗浄システムに関する。
【背景技術】
【０００２】
従来より洋式トイレでは、便座を清潔に保つことが課題とされており、そのための技術として、例えば特許文献１や特許文献２に開示された技術がある。これらの特許文献に開示された技術は、便座やその蓋に取り付けられた殺菌灯で紫外光を照射したり、電気ヒータで着座面を高温に加熱して除菌するものである。【０００３】
しかしながら、上述した特許文献に開示された技術では、紫外光の照射や、ヒータによる加熱などいずれも滅菌・殺菌程度の洗浄であり、便座に付着した汚物を物理的に排除することは不可能であった。
【特許文献１】特開２００６−３４９９３号公報
【特許文献２】特開２００６−３４３９４号公報
【発明の開示】
【０００４】
そこで、本発明は以上の点に鑑みてなされたもので、洋式トイレにおいて、便座に付着した汚物を物理的に排除し、さらに滅菌・殺菌を可能とした便座洗浄システムを提供することをその課題とする。
【０００５】
上記課題を解決するために、本発明は、洋式トイレの便座を洗浄するシステムであって、洋式トイレの便器の近傍に設置され、便座が収納可能な本体と、便座を保持する保持部と、保持部を、本体の内部と外部との間で往復させる駆動手段と、本体内に設けられ、本体内に収納された便座を洗浄する洗浄手段と、洗浄手段による洗浄によって生じた汚水を排出する排水手段とを備え、保持部及び駆動手段は、便座を、本体外部において便器の上方に位置させ、本体内部において洗浄手段の近傍に位置させる。
【０００６】
このような本発明によれば、保持部と駆動手段により、便器と便座を分離し、便座を本体内に収納して洗浄することができるため、汚れた便座を完全にムラなく洗浄することができる。
【図面の簡単な説明】
【０００７】
【図１】第１実施形態に係る便座洗浄システムの概略構成を示す斜視図である。
【図２】第１実施形態に係る便座洗浄システムの概略構成を示す正面図である。
【図３】第１実施形態に係る便座洗浄システムの概略構成を示す側面図である。
【図４】第１実施形態に係る変更例に係る便座洗浄システムの上面図である。
【図５】第１実施形態に係る変更例に係る便座洗浄システムの側面図である。
【図６】第１実施形態に係る変更例に係る便座洗浄システムの便座の構成を示す側面図である。
【図７】第２実施形態に係る便器の概略構成を示す斜視図である。
【図８】第２実施形態に係る便座洗浄システムの概略構成を示す斜視図である。
【図９】第２実施形態に係る変更例に係る便座洗浄システムの側面図である。
【発明を実施するための最良の形態】
【０００８】
［第１実施形態］
（便座洗浄システムの構成）
本発明の第１実施形態について、図面を参照しつつ説明する。図１は、本実施形態に係る便座洗浄システムの概略構成を示す斜視図であり、図２は、その正面図、図３は、側面図である。【０００９】
本実施形態に係る便座洗浄システムは、洋式トイレ１の便座１２を洗浄するシステムであって、便器１１の近傍に設置され、便座１２が収納可能な本体２と、便座１２を保持する保持部３と、保持部３を本体２の内部と外部との間で往復させる駆動手段５と、本体２内に設けられ、本体２内に収納された便座１２を洗浄する洗浄手段と、洗浄手段による洗浄によって生じた汚水を排出する排水手段とを備えている。【００１０】
便座１２は、便器１１から分離可能に構成されており、本実施形態では、その側方を保持部３により保持されている。便器１１は、通常のポッド状の容器であり、タンク１３内の水を流すことによって、汚物を排出する一般的な排水機能を備えている。【００１１】
本体２は、開閉自在な蓋体２１と、側方の開閉部２２を備えた内部中空の函体であり、内部に駆動手段、洗浄手段及び排水手段を内蔵している。この本体２は、下部固定バー６１により、便器１１の側方に連結され、この下部固定バー６１は、ボルト６２により床面６に固定されていることから、本体２は、便器１１に強固に固定されている。なお、本実施形態では、本体２を便器１１下方に連結する下部固定バー６１のみを例示しているが、例えば、便器１１の上部をさらに本体２に連結する上部固定バーを設けてもよいし、また、本体２をトイレの壁に固定するようにしてもよい。【００１２】
保持部３は、駆動手段５により上下に移動するとともに、側方に回動可能に設けられたアーム状の部材であり、便座１２を、本体２外部において便器１１の上方に位置させ、本体２内部において洗浄手段のノズルボード４，４の近傍に位置させる。なお、本実施形態において便座１２は、この保持部３に対して着脱自在となっており、適宜、便座１２を保持部３から取り外して、交換することができるようになっている。【００１３】
駆動手段５は、便座１２を保持した保持部３を、本体２の内部と外部との間で往復させる装置であり、本実施形態では、保持部３を昇降させるモータと、このモータの駆動力を伝達するためのギアやワイヤー等から構成されている。なお、保持部３は、駆動手段により昇降されるが、上昇位置から便器１１上への回動(倒れ込み動作)は、便座１２又は保持部３に設けられた錘や、スプリングによる弾性力により、自然に行われるようになっている。また、保持部３は、停電時に備えて手動でも昇降可能になっており、停電時には自動的に手動操作に切り替わるようになっている。なお、駆動手段５は、蓋体２１及び開閉部２２の開閉駆動も、保持部３の駆動と連動させて行うようになっている。【００１４】
さらに、駆動手段５は、昇降用のモータを駆動させるためのスタートスイッチを備えているが、このスタートスイッチの他、光センサや人感センサを備えており、トイレの灯りが点いたり、ユーザーが接近したりした際に、自動的に本体２内から便器１１上へ便座１２を移動させるようになっている。【００１５】
そして、本実施形態に係る駆動手段５は、トイレ使用後において、ユーザーが立ち上がったのを検知し、保持部３を下方へ引き下ろすように動作する。これにより、便座１２を保持した保持部３が立ち上がり、立ち上がった状態で本体２内へ下降する。本体２内の底部にはクッション３２が設けられており、下降してきた保持部３が底面に衝突するのを防止するようになっている。【００１６】
本実施形態における洗浄手段としては、水や空気等の流体物を噴射するノズルボード４，４と、ノズルボード４，４上に配置された殺菌灯４１と、ブラシやスポンジ等のこすり洗いするためのブラッシング部４２が設けられている。ノズルボード４，４は、収納された便座１２を挟むように対向配置された一対の板部材であり、その内側面に水流等を噴射するノズルが穿設されている。なお、必要に応じて乾燥を促すための送風ファン等を設けてもよい。ブラッシング部４２の駆動は、駆動手段５によって、保持部３の駆動と連動して行われる。【００１７】
給水・排水手段７は、本体２内部における洗浄に必要な水を、ノズルボード４，４に供給するとともに、洗浄により生じた汚水を外部に排出するポンプ装置であり、排水する汚水は配水管７１を通じて、タンク１３内に送出される。【００１８】
（便座洗浄システムの動作）
先ず、本体２又は適当な箇所に設けられたスタートスイッチを入れる。なお、このスタートスイッチとしては、光センサや人感センサ等により自動としてもよい。【００１９】
このスタートスイッチによる入力によって、駆動手段５で便座１２が上方に上昇され、蓋体２１が押し開けられ、便座１２が本体２上方の停止位置まで来たら、そのまま便器１１上まで倒れ込むように回動される。このとき、必要に応じて開閉部２２を下方にスライドさせて開放する。【００２０】
そして、トイレの使用後、ユーザーが立ち上がると、便座１２は自動で本体２内に収納される。便座１２は、本体２内において、対向配置された２枚のノズルボード４，４間に挿入され、ノズルボード４，４の噴射ノズルから水や洗剤が噴射されるとともに、ブラッシング部４２が駆動され、洗浄が開始される。このとき、便座１２やノズルボード４，４を駆動手段５により相対的に動かすことにより、洗浄効果を向上させてもよい。次いで、洗浄終了後、殺菌灯が点灯して、殺菌・乾燥・暖房（保温）を行う。必要に応じて送風ファン等により乾燥を促してもよい。【００２１】
その後、本体２内部に洗浄で溜まった汚水を排水ポンプにより本体２外部へ排出する。なお、ここでは、配水管７１を通じて、タンク１３内に排水する。このように洗浄により生じた汚水をタンク１３内に排出することによって、次回のトイレの使用の際の排水時に再利用することができ、水の有効利用が可能となる。【００２２】
（変更例）
なお、本発明は、上述した実施形態に限定されるものではなく、種々の変更を加えることができる。【００２３】
例えば、上記実施形態では、洗浄により生じた汚水をタンク１３内に排水するようにしたが、例えば、図４及び５に示すように、便器１１に臨ませて排水ノズル８２を設け、便器１１内に汚水を排出するようにしてもよい。【００２４】
この排水ノズル８２は、駆動手段８１により回動可能に設け、トイレの使用時には、上方に立ち上げて（図５において点線により図示）ユーザーの使用の妨げとならないようにしておき、ユーザーの使用後、便座１２を洗浄した際に回動させて（同図において実線により図示）、汚水を便器１１内に排出する。【００２５】
この排水ノズル８２は、本体２と便器１１とを上部において連結する上部固定バー８上に設置されていることが好ましい。この上部固定バー８は、ボルト８３により便器１１に強固に固定される部材であり、上部固定バー８に排水ノズル８２を設けることによって、排水位置の位置決めを本体２の固定と併せて行うことができる。【００２６】
このような変更例によれば、本システムを、後付けで既存のトイレに設置する場合において、洗浄により生じた汚水のための排水口がないときなどに、排水ポンプにより便器１１内に排水することができる。なお、この便器１１内への排水ノズル８２の駆動は、人感センサ等によりユーザー動作と連動させるようにすることが好ましい。【００２７】
また、便座１２の大きさや形状、デザイン等は、種々変更することができ、便座の形状をトイレの設置状況に応じて変更することによって、本発明のシステムを便器周りのどこにでも設置することができる。例えば、図６に示すように、着座面（便座上面）をクッション材１２ａで形成し、下面をプラスチックなどの硬質素材１２ｂで構成するようにしてもよい。【００２８】
本実施形態において駆動手段５による本体２に対する便座１２の出し入れは、上下動としたが、本発明はこれに限定されず、例えば、水平方向、斜めなど、便器１１及び本システムの設置状況に応じて効果的な方向とすることができる。【００２９】
なお、本実施形態では、本体２を後付けすることにより既存のトイレに採用する場合を例に説明したが、便器１１を製造する段階で本システムを適当な位置に取り付けたり、便器１１と一体化させてもよい。【００３０】
さらに、便座１２、その他に光触媒などの加工を施し、殺菌灯を点灯することで洗浄殺菌をより効果的に行える。また、殺菌灯を常に点灯させることによって、低コストにより便座の保温・乾燥を行える。殺菌灯は、種々の形状や位置とすることができ、便座の形状や、便座１２の本体２内における収納状態に応じて、より効果的に設計することが好ましい。また、殺菌灯は、便座１２内部に設けてもよい。【００３１】
（便座洗浄システムによる効果）
以上説明した本実施形態に係る便座洗浄システムによれば、保持部３と駆動手段５により、便器１１と便座１２を分離し、便座１２を本体２内に収納し、本体２内において洗浄することができるため、水流を用いたり、ブラッシング部材を用いたりすることが可能となり、汚れた便座を完全にムラなく洗浄することができる。【００３２】
また、本体２を便器１１の近傍に設置するだけで、本システムを構築することができるため、現在、設置されている既存の洋式トイレの全てに後付けで設置することができ、必要最低限の設備費で本システムを導入することができる。【００３３】
さらに、本システムは、人感センサ等によりユーザーの動作（着座、立ち上がり）に連動させて動作することから、便座１２をトイレ使用後、直ちにノズルから水を噴射し洗浄することができ、汚れがこびりつくことなく、容易に洗浄することができる。【００３４】
また、ノズルボード４，４や便座１２を、本体２内で振動又は回転などの動作をさせれば、より効果的に汚れを落とすことができる。なお、基本的には水のみで洗浄することができるが、補助洗浄手段としてブラシやスポンジその他の素材・形状のものをより効果的な場所へ設置することにって、より確実に洗浄することができる。【００３５】
本実施形態では、開閉部２２を設けているので、便器１１の高さに合わせて、保持部３の高さ位置を調節することができる。この開閉部２２は、本体２の位置によって、適切なところに適切な数、設けることができる。【００３６】
［第２実施形態］
次いで、本発明の第２実施形態について説明する。本実施形態は、上述した第１実施形態における便器１１を男女兼用型としたことを要旨とする。図７は、本実施形態に係る便器１１０を示す斜視図であり、図８は、便器１１０に本発明の便座洗浄システムを取り付けた状態を示す斜視図である。なお、本実施形態において、上述した第１実施形態と同一の構成要素には同一の符号を付し、その機能等は特に言及しない限り同一であり、その説明は省略する。【００３７】
この男女兼用型の便器１１０は、図７に示すように、通常のポッド状の容器形状をなした着座型便器部１１０ｂの後方に、垂直方向に立ち上がった男性用便器部１１０ａを連結した形となっている。着座型便器部１１０ｂの内側には水洗用の凹部１１０ｃが形成され、男性用便器部１１０ａの前面には、小用の凹部１１０ｄが形成され、これらの凹部１１０ｃと１１０ｄとは便器内で連結されている。男性用の凹部１１０ｂには、その上部から、内壁面を伝って垂直方向に水が流れるようになっており、この水は、着座型便器部１１０ｂの凹部１１０ｃに流れ込み、通常の便器と同様に排水される。【００３８】
そして、このような便器１１０にも、上述した第１実施形態で説明した便座洗浄システムを取り付けることができる。【００３９】
すなわち、本実施形態に係る便座洗浄システムも、図８に示すように、洋式トイレ１の便座１２を洗浄するシステムであって、便器１１０の近傍に設置され、便座１２が収納可能な本体２と、便座１２を保持する保持部３と、保持部３を本体２の内部と外部との間で往復させる駆動手段と、本体２内に設けられ、本体２内に収納された便座１２を洗浄する洗浄手段と、洗浄手段による洗浄によって生じた汚水を排出する排水手段とを備えている。【００４０】
便座１２は、便器１１０から分離可能に構成されており、本実施形態では、その側方を保持部３により保持され、着座型便器部１１０ｂの上面に位置するように、本体２から迫り出すようになっている。【００４１】
なお、上記の構成に加え、図９に示すような付加的な装置を設けることができる。例えば、便器１１０内に局部洗浄用の洗浄装置９を設けてもよい。【００４２】
この洗浄装置９は、垂直方向に延設されたレール９３ｂに沿って上下するように洗浄ノズル９２が取付けられ、駆動手段９３ａにより、男性用便器部１１０ａ前面を昇降されるようになっている。なお、洗浄ノズル９２は、駆動手段９１により前後に進退するようになっている。【００４３】
そして、洗浄装置９は、男性が使用する際には、上昇されて排泄の邪魔にならないように男性用便器部１１０ａの上方に位置され（図中点線で図示）、女性が使用する際には、便座１２の迫り出し動作に連動して降下され、便座１２の後部下方に位置される。【００４４】
また、この洗浄装置９には、カバー９４ｂが連結されている。このカバー９４ｂは、ローラー９４ａに巻き取られる布状のシャッターであり、引き下げられることにより、男性用の凹部１１０ｂの前面を覆うようになっている。このカバー９４ｂは、洗浄装置９に連結されており、洗浄装置９の上下動に合わせて開閉されるようになっている。そして、このカバー９４ｂは、女性の使用時には、洗浄装置９の下降とともに引き下げられて凹部１１０ｂの前面を覆い、男性の使用時には、洗浄装置９の上昇とともにローラー９４ａに巻き取られて凹部１１０ｂを開放する。【００４５】
このような本実施形態によれば、便器を男女兼用型としたことにより、男性使用時の飛沫を凹部１１０ｄで受け止めることができる。特に、本実施形態では、便座１２の本体２への収納動作と連動して、洗浄装置９を上昇させて退避するとともに、カバー９４ｂを開放することから、便座１２の動作制御を利用して、男性使用時における凹部１１０ｄの開放を行うことができる。また、本実施形態では、局部洗浄装置９も、男性使用時に際し上方へ退避させることから、洗浄装置９に男性使用時の飛沫が付着することがなく衛生的である。一方、女性使用時には、洗浄された便座１２が本体２から迫り出されるとともに、カバー９４により凹部１１０ｄが覆い隠されるため、男性の使用後における飛沫を完全に遮蔽することができる。
【産業上の利用の可能性】
【００４６】
以上説明したように本発明によれば、洋式トイレの便座に付着した汚物を水流やブラッシング等によって物理的に排除し、さらに滅菌・殺菌を施し、より確実に便座の清潔を保つことができる。現在、設置されている既存の洋式トイレの全てに後付けで設置することができるため、必要最低限の設備費で本発明を導入することができる。
【図１】
2008072677.tif 000003
【図２】
2008072677.tif 000004
【図３】
2008072677.tif 000005
【図４】
2008072677.tif 000006
【図５】
2008072677.tif 000007
【図６】
2008072677.tif 000008
【図７】
2008072677.tif 000009
【図８】
2008072677.tif 000010
【図９】
2008072677.tif 000011
【国際調査報告】
2008072677.tif 000012
2008072677.tif 000013